(57)【要約】【課題】低コストで且つハンドルの伸縮時において音の発生がほとんどない鞄のハンドル伸縮装置を提供すること。【解決手段】外部材１における内部材２との対向面の一つに当該外部材１の長手方向に沿って多数の凹部１２を配列させると共に、前記凹部１２の形成面と対向する内部材２の壁面に開口２１を形成し、内部材２内における開口２１と対向する位置に凸部５０を有する従節体５を収容させると共に、バネ７の付勢力により凸部５０が開口２１を通過して凹部１２に嵌入した状態となっており、内部材２内における従節体５の配設位置よりも少し上方にカム体６を配置させると共に、前記カム体６は握り柄３に設けた操作部３０を介して一定量だけ下動操作される操作軸４の下端に設けてあり、操作軸４の上記下動によりカム体６と従節体５とが直動カムの関係となって、バネ７の付勢力に抗して従節体５の凸部５０が凹部１２から抜け出るようになっている。【選択図】　図３
2004113365.tif 000002
【特許請求の範囲】
【請求項１】
鞄に取り付けられる筒状の二本の外部材と、各外部材にスライド自在に挿入された筒状の内部材と、前記内部材の上端相互間に架設一体化された握り柄とを具備し、外部材における内部材との対向面の一つに当該外部材の長手方向に沿って多数の凹部を配列させると共に、前記凹部の形成面と対向する内部材の壁面に開口を形成し、内部材内における開口と対向する位置に凸部を有する従節体を収容させると共に、バネの付勢力により凸部が開口を通過して凹部に嵌入した状態となっており、内部材内における従節体の配設位置よりも少し上方にカム体を配置させると共に、前記カム体は握り柄に設けた操作部を介して一定量だけ下動操作される操作軸の下端に設けてあり、操作軸の上記下動によりカム体と従節体とが直動カムの関係となって、バネの付勢力に抗して従節体の凸部が凹部から抜け出るようになっていることを特徴とする鞄のハンドル伸縮装置。
【請求項２】
外部材は、筒状の主体と、多数の凹部を有し且つ前記主体の一面に沿って配されている係合板材とから構成されていることを特徴とする請求項１記載の鞄のハンドル伸縮装置。
【請求項３】
係合板材が配される一面と隣合う左右面にそれぞれ内方突出片を具備させ、前記左右の内方突出片により係合板材を支持させると共に、左右の内方突出片相互間の隙間から少なくとも係合板材の凹部が露出させるようにしていることを特徴とする請求項２記載の鞄のハンドル伸縮装置。
【請求項４】
バネは、内部材内に固着された保持体により支持されていることを特徴とする請求項１乃至３のいずれかに記載の鞄のハンドル伸縮装置。
【請求項５】
操作部への操作力による操作軸の下動は、リンクを介して行われることを特徴とする請求項１乃至４のいずれかに記載の鞄のハンドル伸縮装置。
【発明の詳細な説明】
【０００１】
【発明の属する技術分野】
この発明は、旅行用トランク等の鞄に装着され、ハンドルを使用者の最適な寸法に伸ばして、運搬し易くすることができる鞄のハンドル伸縮装置に関するものである。
【０００２】
【従来の技術】
鞄のハンドル伸縮装置としては、例えば図７に示すようなものがある。
【０００３】
この鞄のハンドル伸縮装置は、図７に示すように、鞄に取り付けられる一対の筒状の外部材９０にそれぞれ筒状の内部材９１をスライド自在に挿入し、前記内部材９１，９１の上端相互間に握り柄９２を架設して構成されている。
【０００４】
ここで、上記した外部材９０には図７に示すように、その内壁面の上部から下部にかけてほぼ全範囲にラック９０ａが形成され、他方、内部材９１には同図に示すように前記ラック９０ａと歯合するピニオン９３を設けられ、前記外部材９０に対する内部材９１の挿入度合いの変化（ハンドルの伸縮）はラック９０ａ上をピニオン９３が歯合しながら転がる態様で行われるようになっている。
【０００５】
なお、この鞄のハンドル伸縮装置では、図７に示すように、握り柄９２に設けた操作部９４を押し込んだときには、操作部９４→レバー９５→操作軸９６の経路で、ピニオン９３を回転不能にしていた係合部材９７が当該ピニオン９３から外れ、ハンドルの伸縮ができるようになっている。
【０００６】
しかしながら、上記した鞄のハンドル伸縮装置では、ハンドルの伸縮時においてラック９０ａとピニオン９３との噛み合い音（歯と歯の擦れる音）が発生し、使用者の間で評判が良くないという問題があった。
【０００７】
なお、上記した問題を回避するため、ラック９０ａとピニオン９３相互間にグリスを塗布することが挙げられるが、この方法は採用したくない。
【０００８】
他方、鞄のハンドル伸縮装置としては、鞄の背面カバーの空間部に設けたストッパー部材が、ハンドルの握り柄に設けたレバーの簡単な操作に連動して、ハンドルの内管に複数設けた係合孔と係脱自在とすることにより、ハンドルの長さを自由に調整できるできるようにしたものがある（例えば、特許文献１参照）。
【０００９】
しかしながら、このハンドル伸縮装置では、部品数も多く構造が複雑なので、高コストになってしまうという問題があった。
【００１０】
【特許文献１】
実用新案登録第３０６６１９６号公報
【００１１】
【発明が解決しようとする課題】
そこで、この発明では、低コストで且つハンドルの伸縮時において音の発生がほとんどない鞄のハンドル伸縮装置を提供することを課題とする。
【００１２】
【課題を解決するための手段】
（請求項１記載の発明）
この発明の鞄のハンドル伸縮装置は、鞄に取り付けられる筒状の二本の外部材と、各外部材にスライド自在に挿入された筒状の内部材と、前記内部材の上端相互間に架設一体化された握り柄とを具備し、外部材における内部材との対向面の一つに当該外部材の長手方向に沿って多数の凹部を配列させると共に、前記凹部の形成面と対向する内部材の壁面に開口を形成し、内部材内における開口と対向する位置に凸部を有する従節体を収容させると共に、バネの付勢力により凸部が開口を通過して凹部に嵌入した状態となっており、内部材内における従節体の配設位置よりも少し上方にカム体を配置させると共に、前記カム体は握り柄に設けた操作部を介して一定量だけ下動操作される操作軸の下端に設けてあり、操作軸の上記下動によりカム体と従節体とが直動カムの関係となって、バネの付勢力に抗して従節体の凸部が凹部から抜け出るようになっている。
（請求項２記載の発明）
この発明の鞄のハンドル伸縮装置は、上記請求項１記載の発明に関し、外部材は、筒状の主体と、多数の凹部を有し且つ前記主体の一面に沿って配されている係合板材とから構成されている。
（請求項３記載の発明）
この発明の鞄のハンドル伸縮装置は、上記請求項２記載の発明に関し、係合板材が配される一面と隣合う左右面にそれぞれ内方突出片を具備させ、前記左右の内方突出片により係合板材を支持させると共に、左右の内方突出片相互間の隙間から少なくとも係合板材の凹部が露出させるようにしている。
（請求項４記載の発明）
この発明の鞄のハンドル伸縮装置は、上記請求項１乃至３のいずれかに記載の発明に関し、バネは、内部材内に固着された保持体により支持されている。
（請求項５記載の発明）
この発明の鞄のハンドル伸縮装置は、上記請求項１乃至４のいずれかに記載の発明に関し、操作部への操作力による操作軸の下動は、リンクを介して行われる。
【００１３】
なお、上記発明の鞄のハンドル伸縮装置の作用・効果については、以下の発明の実施の形態の欄で明らかにする。
【００１４】
【発明の実施の形態】
この発明の実施形態の鞄のハンドル伸縮装置を図面に従って説明する。
〔実施形態１〕
図１はこの発明の実施形態の鞄のハンドル伸縮装置の部分断面図、図２は前記鞄のハンドル伸縮装置の分解斜視図。
（鞄のハンドル伸縮装置の基本的構成について）
この鞄のハンドル伸縮装置は、図１に示すように、鞄を構成する箱体の背面に取り付けられる筒状の二本の外部材１，１と、各外部材１にスライド自在に挿入された筒状の内部材２と、前記内部材２，２の上端相互間に架設一体化された握り柄３とを具備している。
（外部材１の構成について）
外部材１は、図１、図２や図５に示すように、断面四角形状の筒状の主体１ａと、薄い板体１１に幅狭の凹部１２と凸部１３を交互に形成させて成り且つ前記主体１ａの一面に沿って配される係合板材１ｂとから構成されている。
【００１５】
主体１ａは、図２や図５に示すように、係合板材１ｂが配される一面と隣合う左右面に係合板材１ｂを支持させるための内方突出片１０，１０を具備させてあり、左右の内方突出片１０，１０相互間の隙間１０ａの幅は少なくとも係合板材１ｂの凹部１２が露出される程度に設定してある。
【００１６】
係合板材１ｂは、図２や図５に示すように、板体１１を主体１ａの構成壁と内方突出片１０，１０とにより囲まれる部分に嵌入できる形状としてあり、凸部１３を、内方突出片１０，１０相互間から突出し得る幅に設定してある。
【００１７】
そして、この実施形態では、主体１ａの構成壁と内方突出片１０，１０とにより囲まれる部分に板体１１を、内方突出片１０，１０相互間の隙間部分に凸部１３を、それぞれ対向させ、主体１ａに対して係合板材１ｂを押し込むようにして一体化している。つまり、外部材１は主体１ａと係合板材１ｂとの二つの部材から構成されているが、基本的には筒体の一面の内面側に長手方向に沿って多数の凹部１２が配列されているものである。
【００１８】
なお、この外部材１としては、金属又は合成樹脂で構成されているものが使用できる。
（内部材２の構成について）
内部材２は、図２や図５に示すように、上記隙間１０ａと対向する部分に同幅の凹み部２０が形成された四角形状のものであり、下端部近傍には図１に示すように、前記凹み部２０を構成する底壁に開口２１を形成してある。なお、前記開口２１の長さ方向の寸法は、図３に示すように４個の後述する凸部５０が通過できる大きさとしてある。
【００１９】
ここで、この内部材２内には、図１、図３や図５に示すように、上記開口２１と対向する位置に、４個の凸部５０を有する従節体５を収容させてあり、この従節体５は保持体８に支持されたバネ７の付勢力により凸部５０のみが開口２１を通過して凹部１２に嵌入した状態となっている。なお、前記保持体８は内部材２の内壁面に固着されていることが好ましい。
【００２０】
また、この内部材２内における従節体５の配設位置よりも少し上方には、図１や図３に示すように、操作軸４の下端に取り付けられたカム体６を配置させてあり、操作軸４の一定量の下動に伴うカム体６の下動（カム体６の上下の直線運動）により、図４や図６に示すようにカム体６と従節体５とがカム面６０と傾斜面５１との対偶により直動カムの関係となって、バネ７の付勢力に抗して従節体５が移動（従節体５の左右の直線運動）して凸部５０が蓋体１ｂの凹部１２から抜け出るようになっている。
（握り柄３の構成について）
握り柄３は、図１に示すように中空に形成されており、一部が外部に突出する態様で収容された押しボタン式の操作部３０と、軸３１により支持され且つ前記操作部３０の構成壁と係合させた揺動レバー３２と、各揺動レバー３２の外側部が上がっているのを維持するためのバネ３３とから構成されており、操作部３０を押し込んだときには、これと連動して軸３１を中心として揺動レバー３２の外側部が降下するようにしてある。
【００２１】
なお、この揺動レバー３２の外側部には上記した操作軸４を取り付けてあり、操作部３０を押し込み操作されたときには、操作軸４が上記した一定量だけ下動するようになっている。
（この鞄のハンドル伸縮装置のハンドルの伸縮について）
以上のように構成したハンドル伸縮装置は、次のような操作によってハンドルを伸縮することができる。
▲１▼．図１に示した状態において、使用者がこの鞄のハンドル伸縮装置の握り柄３を握って操作部３０を押し込むと、揺動レバー３２の外側端が下動し、操作軸４が一定量下動する。すると、図３及び図５の状態から図４及び図６の状態にカム体６が一定量下動してこれに伴いバネ７の弾性力に抗して従動体５が移動し、従動体５の凸部５０が係合板材の凹部１２から抜け出る。
【００２２】
そこで、使用者がハンドル伸縮装置の握り柄３を握ったまま、この握り柄３を引き上げると、外部材１に対して内部材２は抜け出ていく。つまり、ハンドルを適当な長さに伸ばして使用者の最適な寸法にすることができる。
▲２▼．そして、このハンドルを使用者の最適な寸法にした状態で、使用者が操作部３０の押し込み操作を中止すると、揺動レバー３２の外側端が上動し操作軸４が元の位置に上動する。すると、図４及び図６の状態から図３及び図５の状態にカム体６が元の位置に上動してこれに伴いバネ７の弾性復帰力により従動体５が移動し、従節体５の凸部５０は蓋体１ａの凹部１２に嵌入される。
【００２３】
したがって、この状態で、使用者が握り柄３を握って引き上げても、従節体５の凸部５０が蓋体１ａの凹部１２に嵌入された状態となっているので動かない。
▲３▼．上記と同様に、使用者がこの鞄のハンドル伸縮装置の握り柄３を握って操作部３０を押し込み、このまま握り柄３を押し込むと、ハンドルが縮んだ元の状態となり、邪魔にならず保管し易いものとなる。
（この鞄のハンドル伸縮装置の優れた機能について）
この鞄のハンドル伸縮装置では、ハンドルの伸縮時において従来の技術の欄に述べたようなラックとピニオンのような噛み合い音は発生せず、外部材１に対する内部材２との摺動音のみである。したがって、ハンドルの伸縮時において音の発生がほとんどない鞄のハンドル伸縮装置を提供できることが明らかである。
【００２４】
また、この鞄のハンドル伸縮装置においてハンドルの伸縮及び止めに必要な主要構成は、板体１１、従節体５、カム体６、バネ７のみであり、部品数が少なく構造が複雑でないので、低コストである。
（他の実施形態について）
上記実施形態１を以下のような形態に変えることができる。
▲１▼．上記実施形態１では、操作部３０への操作力による操作軸４の下動は、揺動レバ−３２を介して行われているが、これに限定されるものではない。
▲２▼．上記実施形態１では、開口２１を通過して凹部１２に嵌入される凸部５０は４個としてあるが、１〜３個でも、５個以上でもよい。
▲３▼．従節体５とカム体６は上記実施形態１のものに限られるものではない。但し、両者により直動カムが構成されることが必要である。
▲４▼．実施形態１の係合板材１ｂにかえて、図７に示すような係合板材１ｂとすることができる。
▲５▼．上記した実施形態では、外部材１は、主体１ａと、これとは別体の係合板材１ｂとから構成されているが、これに限定されることなく、一部材で構成されたものでもよい。
【００２５】
【発明の効果】
この発明は上記のような構成であるから次の効果を有する。
【００２６】
発明の実施の形態の欄に記載した内容から、低コストで且つハンドルの伸縮時において音の発生がほとんどない鞄のハンドル伸縮装置を提供できた。
【図面の簡単な説明】
【図１】この発明の実施形態の鞄のハンドル伸縮装置の部分断面図。
【図２】前記鞄のハンドル伸縮装置の分解斜視図。
【図３】前記鞄のハンドル伸縮装置の主要部の断面図であって、外部材に対して内部材がスライドできない状態を示す図。
【図４】前記鞄のハンドル伸縮装置の主要部の断面図であって、外部材に対して内部材がスライドできる状態を示す図。
【図５】図３のＸ−Ｘ断面図。
【図６】図３のＹ−Ｙ断面図。
【図７】外部材の他の実施形態の部分断面図。
【図８】先行技術の鞄のハンドル伸縮装置の説明図。
【符号の説明】
１　　　外部材
２　　　内部材
３　　　握り柄
４　　　操作軸
５　　　従節体
６　　　カム体
７　　　バネ
８　　　保持体
１２　　凹部
２１　　開口
５０　　凸部
【図１】
2004113365.tif 000003
【図２】
2004113365.tif 000004
【図３】
2004113365.tif 000005
【図４】
2004113365.tif 000006
【図５】
2004113365.tif 000007
【図６】
2004113365.tif 000008
【図７】
2004113365.tif 000009
【図８】
2004113365.tif 000010